(57)【特許請求の範囲】
【請求項１】
屋内外を仕切る壁の開口部に設けられる窓枠であって、
内側窓枠部材とサッシ枠材が取り付けられる外側窓枠部材とに分割され、かつ前記内側窓枠部材の屋外側端面と前記外側窓枠部材の屋内側端面とが前記壁の厚みに応じて内外方向に調整自在に嵌め合わされる構成とされており、
前記内側窓枠部材及び前記外側窓枠部材は、いずれも木質基材を含んだ構成とされ、かつ前記内側窓枠部材の表面は内装化粧面とされ、前記外側窓枠部材の表面は前記サッシ枠材にあわせた色調とされていることを特徴とする窓枠。
【請求項２】
請求項１において、
前記内側窓枠部材の屋外側端面は、凹条に形成された凹溝部を有し、前記外側窓枠部材の屋内側端面は、前記凹溝部と嵌め合わされるように形成された凸条部を有しており、前記凹溝部と前記凸条部とが内外方向に嵌め合わされるものであることを特徴とする窓枠。
【請求項３】
請求項１において、
前記内側窓枠部材の屋外側端面と前記外側窓枠部材の屋内側端面とのいずれか一方の角部は、切欠いて形成された切欠段部を有し、他方の角部は前記切欠段部に嵌め合わされるように形成された突条片部を有しており、前記切欠段部と前記突条片部とが内外方向に嵌め合わされるものであることを特徴とする窓枠。
【請求項４】
請求項１〜請求項３のいずれか１項において、
前記内側窓枠部材及び前記外側窓枠部材は、いずれも前記木質基材の表面に合成樹脂シートが貼着されて形成されたものであることを特徴とする窓枠。
【請求項５】
請求項１〜請求項４のいずれか１項に記載の窓枠の内側窓枠部材の屋内側端面が屋内外を仕切る壁の屋内側の壁面と略同一面となることを特徴とする窓枠納め構造。
【発明の詳細な説明】
【技術分野】
【０００１】
本発明は、屋内外を仕切る壁の開口部に設けられる窓枠及びこれを用いた窓枠納め構造に関する。
【背景技術】
【０００２】
上述のような窓枠の一例としては、下記特許文献１に開示されているものが挙げられる。
下記特許文献１には、窓枠をアルミニューム製の屋外側窓枠体と同じくアルミニューム製の屋内側窓枠体とに分割し、屋内側窓枠体の屋内側面に木質材を取着した窓枠が開示されている。
屋外側窓枠体と屋内側窓枠体とは、これらの間に断熱材を介して取り付けられるので、屋内側の木質材部分に結露が発生することを防止することができる。
【先行技術文献】
【特許文献】
【０００３】
【特許文献１】実開平５−５７２８０号公報
【発明の概要】
【発明が解決しようとする課題】
【０００４】
ところで近年は、屋内側に設けられる内壁として、ケナフボードなど板厚が薄く構成できる壁材が登場したことにより、壁厚が一定でなくなってきている。そこで、様々な壁厚に対応できる窓枠が求められている。
しかしながら、上記特許文献１に記載のものは窓枠の奥行き寸法を壁厚の見込み寸法（奥行き寸法）に合わせて変えることができるものではない。
また従来より、窓枠と屋内側の壁面との間の隙間を隠し、納まりをよくするために用いられる額縁部材が知られているが、この額縁部材も予め、所定の隙間寸法に合わせて形成されるものであるので、様々な壁厚に対応して調整できるものではない。
【０００５】
本発明は、上記実情に鑑みてなされたものであり、様々な壁厚に対応して窓枠の奥行き寸法を壁厚の見込み寸法に合わせて変えることができる窓枠及びこれを用いた窓枠納め構造を提供することを目的としている。
【課題を解決するための手段】
【０００６】
上記目的を達成するために、本発明に係る窓枠は、屋内外を仕切る壁の開口部に設けられる窓枠であって、内側窓枠部材とサッシ枠材が取り付けられる外側窓枠部材とに分割され、かつ前記内側窓枠部材の屋外側端面と前記外側窓枠部材の屋内側端面とが前記壁の厚みに応じて内外方向に調整自在に嵌め合わされる構成とされており、前記内側窓枠部材及び前記外側窓枠部材は、いずれも木質基材を含んだ構成とされ、かつ前記内側窓枠部材の表面は内装化粧面とされ、前記外側窓枠部材の表面は前記サッシ枠材にあわせた色調とされていることを特徴とする。
【０００８】
さらに本発明において、前記内側窓枠部材の屋外側端面は、凹条に形成された凹溝部を有し、前記外側窓枠部材の屋内側端面は、前記凹溝部と嵌め合わされるように形成された凸条部を有しており、前記凹溝部と前記凸条部とが内外方向に嵌め合わされるものとしてもよい。
【０００９】
そして本発明において、前記内側窓枠部材の屋外側端面と前記外側窓枠部材の屋内側端面とのいずれか一方の角部は、切欠いて形成された切欠段部を有し、他方の角部は前記切欠段部に嵌め合わされるように形成された突条片部を有しており、前記切欠段部と前記突条片部とが内外方向に嵌め合わされるものとしてもよい。
【００１０】
また本発明において、前記内側窓枠部材及び前記外側窓枠部材は、いずれも前記木質基材の表面に合成樹脂シートが貼着されて形成されたものとしてもよい。
【００１１】
さらに前記目的を達成するために、本発明に係る窓枠納め構造は、前記いずれかの窓枠の前記内側窓枠部材の屋内側端面が屋内外を仕切る壁の屋内側の壁面と略同一面となることを特徴とする。
【発明の効果】
【００１２】
本発明に係る窓枠は、分割して構成された内側窓枠部材と外側窓枠部材との設置位置を調整することにより、様々な壁厚に対応して窓枠の奥行き寸法を壁厚の見込み寸法に合わせて変えることができる。
また本発明に係る窓枠納め構造は、上述の構成としているので、屋内側の壁面と内側窓枠部材の屋内側端面との間に段差がほとんどない状態にすっきりと窓枠を壁の開口部内に納めることができる。
【図面の簡単な説明】
【００１３】
【図１】本発明の一実施形態に係る窓枠及びこれを用いた窓枠納め構造の一例を説明するための模式的部分斜視図である。
【図２】（ａ）、（ｂ）は、いずれも同実施形態に係る窓枠及びこれを用いた窓枠納め構造の一例を模式的に示し、（ａ）は説明するための模式的横断面図、（ｂ）は（ａ）の模式的側面図である。
【図３】（ａ）、（ｂ）は、同実施形態の変形例に係る窓枠及びこれを用いた窓枠納め構造の一例を模式的に示し、（ａ）は説明するための模式的横断面図、（ｂ）は（ａ）の模式的側面図である。
【図４】（ａ）、（ｂ）は、いずれも本発明の他の実施形態に係る窓枠及びこれを用いた窓枠納め構造の一例を模式的に示し、（ａ）は説明するための模式的横断面図、（ｂ）は（ａ）の模式的側面図である。
【発明を実施するための形態】
【００１４】
以下に本発明の実施の形態について、図面に基づいて説明する。
まずは、図１〜図３を参照しながら、一実施形態に係る窓枠及びこれを用いた窓枠納め構造の一例を説明する。
本実施形態に係る窓枠１は、屋内外を仕切る壁１０の開口部２０に設けられ、内側窓枠部材２と、サッシ４が取り付けられる外側窓枠部材３とに分割して形成されている。内側窓枠部材２の表面は内装化粧面とされるとともに、外側窓枠部材３の表面はサッシ４にあわせた色調とされている。
なお、以下では略方形状に開口された開口部２０に納められる四方枠で構成された窓枠１のうち、屋内側からみて開口部２０の左側部に納められる縦枠１Ａの例を主に説明するが、開口部２０の右側部も同様の構成とされることはいうまでもない。また下枠１Ｂ（図１参照）、上枠（不図示）も同様の構成としてもよい。
さらに図１は説明のため縦枠１Ａ、間柱７０、内壁３０を途中で切断した斜視図を示している。
【００１５】
屋内外を仕切る壁１０は、建屋の間柱７０と、屋内側に設けられた内壁３０と、屋外側に設けられた外壁５０とを備え、サッシ４が取り付けられる位置には上述のように略方形状に開口された開口部２０が設けられている。
壁１０は柱と柱の間に間柱７０を設け、内壁３０と外壁５０とで間柱７０を被覆して納めるいわゆる大壁で構成されている。間柱７０と縦枠１Ａとの間の隙間部分には、図２（ａ）に示すように飼木６０を介在させ隙間を埋めるようにしてもよい。
図例のサッシ４は、サッシ枠材４０と扉体４１とで構成されており、図２（ａ）に示すように半外付けされている。サッシ枠材４０は、アルミニューム製などからなり、断面略Ｌ字型に形成された保持部４０ａを備えている。
【００１６】
縦枠１Ａを構成する内側窓枠部材２の屋外側端面２ｂと、外側窓枠部材３の屋内側端面３ａとは壁１０の厚みに応じて内外方向（図１白抜矢印方向参照）に調整自在に嵌め合わされている。
ここでは、内側窓枠部材２と外側窓枠部材３の嵌め合わせの一例として、凹溝部５と凸条部６とが内外方向に嵌め合わされている例を示しており、内側窓枠部材２の屋外側端面２ｂに凹溝部５、外側窓枠部材３の屋内側端面３ａの凸条部６が形成された例を説明する。
【００１７】
内側窓枠部材２は、外側窓枠部材３より奥行き寸法が大きく形成されていることが望ましい。
この場合は、外側窓枠部材３より内側窓枠部材２の方が巾広に形成されていることにより、内装化粧面とされた箇所が広がり、サッシ４、具体的にはサッシ枠材４０とあわせた色調とされた箇所が狭くなるので、窓枠１周辺の意匠性を高めることができる。
【００１８】
内側窓枠部材２及び外側窓枠部材３は、特に限定されるものではないが、木質基材などの表面に合成樹脂シート９，１３が貼着されたものとすることが好ましい。
例えば図１のＸ部拡大断面図に示すように、内側窓枠部材２及び外側窓枠部材３は、合板などの木質材料を芯材７，１１とし、その外層にＭＤＦ（中密度繊維板）を積層して貼着したものとしてもよい。
そしてその最外層となる内側窓枠部材２の表面は内装化粧面とされ、例えば木目調などの合成樹脂化粧シート９が貼着されたものとしてもよい。このとき、合成樹脂化粧シート９は、内壁３０の表面３０ａにあわせた色調としてもよい。このようにあわせた色調とした場合は、内壁３０と内側窓枠部材２との統一感をかもし出すことができ、窓枠１周辺の意匠性が向上する。また合成樹脂化粧シート９とすることで様々な色調、柄の内側窓枠部材２を構成することができる。
【００１９】
一方、最外層となる外側窓枠部材３の表面はサッシ４、具体的にはサッシ枠材４０にあわせた例えばメタリック調などの色調とされ、合成樹脂化粧シート１３が貼着されたものとしてもよい。この場合も、サッシ枠材４０と外側窓枠部材３との統一感をかもし出すことができ、窓枠１周辺の意匠性を向上させることができる。また外側窓枠部材３をサッシ枠材４０にあわせた色調とすることで、サッシ枠材４０の色調は内壁３０の表面３０ａに貼着される内装化粧面のバリエーションよりも少ないため、外側窓枠部材３として準備しておく数を減らすことができる。
【００２０】
また外側窓枠部材３の奥行き寸法を一定の大きさにした場合、図に示すように凹溝部５及び凸条部６が形成されていることが望ましい。
この場合は、凹溝部５が屋内側端面３ａに、凸条部６が屋外側端面２ｂに形成されたものと比べて合成樹脂シート９が凸条部６との嵌め合わせ部分にまで至り、内装化粧面とされた箇所を若干広げることができる。
従って、この場合も窓枠１周辺の意匠性を高めることができる。
なお、図示していないが、凹溝部５が外側窓枠部材３の屋内側端面３ａに形成され、凸条部６が内側窓枠部材２の屋外側端面２ｂに形成されたものとしてもよい。
【００２１】
内側窓枠部材２及び外側窓枠部材３は略方形状に形成されており、図例のものは縦枠１Ａとして用いられるため、設置状態が縦長の略長方形状の板体とされている。
内側窓枠部材２の屋外側端面２ｂの中央（図例のものは短手方向中央）には、断面視して凹条に加工された凹溝部５が長手方向に沿って形成されている。
外側窓枠部材３の屋内側端面３ａの中央（図例のものは短手方向中央）には、内側窓枠部材２側に突出した凸条部６が形成されており、この凸条部６は、凹溝部５と嵌め合わされるようにいわゆる本実状に形成されている。
凸条部６の突出寸法は、凹溝部５の溝の深さ寸法と略同一或いは凹溝部５の溝深さより小さく形成され、壁１０の厚みに応じて凹溝部５と凸条部６の嵌め合い度合いが内外方向に調整自在とされている。
【００２２】
次に図２と図３を参照しながら、窓枠１の寸法調整について説明する。
図２（ａ）に示す内壁３０の壁厚Ｔ１は、図３（ａ）に示す内壁３０の壁厚Ｔ２より薄肉とされており、その他の内側窓枠部材２、外側窓枠部材３、間柱７０の寸法や外壁５０の厚み寸法は図２に示す例、図３に示す例ともにいずれも同じとされている。
図２（ａ）に示すように比較的薄肉の内壁３０が用いられる場合は、壁１０の厚み方向に沿った寸法（奥行き寸法）、すなわち見込み寸法Ｄ１が図３（ａ）に示す例と比べて小さくなるので、図３（ａ）に示す例よりも内側窓枠部材２の凹溝部５に外側窓枠部材３の凸条部６を深く嵌め合わせた状態とする。
凹溝部５と凸条部６の嵌め合わせ度合いは、外側窓枠部材３の屋外側端面３ｂが固着されるサッシ枠材４０の保持部４０ａの屋内側端面から内壁３０の表面３０ａまでの奥行き寸法ｄ１を計測して、その奥行き寸法ｄ１にあわせて調整される。具体的には、奥行き寸法ｄ１に応じて凹溝部５と凸条部６の両者を嵌め合わせた状態で内側窓枠部材２或いは外側窓枠部材３のいずれかを内外方向に移動させる。そして、内側窓枠部材２の屋内側端面２ａから外側窓枠部材３の屋外側端面３ｂまでの長さが奥行き寸法ｄ１と一致するように凹溝部５と凸条部６との嵌め合わせ状態を調整すればよい。
【００２３】
すると、内側窓枠部材２の屋外側端面２ｂと外側窓枠部材３の屋内側端面３ａとの間で且つ凹溝部５と凸条部６とで嵌め合わされていない箇所に隙間ｄ１０が形成される。図２（ｂ）に示すように隙間ｄ１０が形成されても、縦枠１Ａを側面からみたときには、凹溝部５に凸条部６が嵌め合わされているので、窓枠１として開口部２０に組み付けた際に、飼木６０が露見することはなく、見栄えよく取り付けることができる。
他方の縦枠１Ａ、上枠、下枠１Ｂも同じ要領で奥行き寸法ｄ１に応じてそれぞれの枠の奥行き寸法を調整し、四方枠を形成すると、これが窓枠１となる。そしてこの窓枠１を壁１０の開口部２０に組み付ければよい。
以上によれば、窓枠１を内壁３０と内側窓枠部材２の屋内側端面２ａとの間に段差がほとんどない状態にすっきりと窓枠１を納めることができる。またさらに額縁部材を設けることなく、窓枠１を開口部２０に隙間なく納めることができるので、窓枠１の取付施工を簡略化することができる。
【００２４】
次いで図２に示す例の変形例として図３の例を参照しながら説明する。
上述のように図２（ａ）に示す内壁３０の壁厚Ｔ１は、図３（ａ）に示す内壁３０の壁厚Ｔ２より薄肉（すなわち、壁厚Ｔ１とＴ２の関係はＴ１＜Ｔ２）とされているため、見込み寸法Ｄ１とＤ２の関係はＤ１＜Ｄ２となる。従って奥行き寸法ｄ１とｄ２の関係はｄ１＜ｄ２、隙間ｄ１０とｄ２０の関係もｄ１０＜ｄ２０となる。
調整の要領は上述の例と同様であるので、詳しい説明は省略するが、図３（ａ）に示すように図２（ａ）に示す例より厚肉の内壁３０が用いられる場合は、内側窓枠部材２の凹溝部５に外側窓枠部材３の凸条部６が図２（ａ）の場合より浅く嵌め合わされた状態となる。
【００２５】
以上の構成によれば、窓枠１を構成する縦枠１Ａが内側窓枠部材２と外側窓枠部材３とに分割されているので、分割して構成された内側窓枠部材２と外側窓枠部材３との設置位置を調整することにより、縦枠１Ａの奥行き寸法を変えることができる。すなわち、従来壁厚調整のために用いられた額縁材を使用しなくても、様々な厚みの壁１０の見込み寸法Ｄ１，Ｄ２、取付位置の奥行き寸法ｄ１，ｄ２に対応して縦枠１Ａの寸法を調整することができる。
また外側窓枠部材３がサッシ４を構成するサッシ枠材４０にあわせた色調とされているので、縦枠１Ａで色調が変わる境が隙間ｄ１０のみとすることができる。
従って、このように縦枠１Ａを分割するものであっても従来の縦枠と同様の外観を備えたものとすることができる。
さらに様々な壁１０の見込み寸法に合わせて内側窓枠部材２及び外側窓枠部材３を予め形成し用意しておく必要がなく共通サイズの部材で様々な壁１０の厚みに対応することができる。
【００２６】
続いて、図４を参照しながら、他の実施形態に係る窓枠及びこれを用いた窓枠納め構造の一例を説明する。
上述の実施形態と共通する部分には共通の符号を付し、その説明は省略する。
本実施形態に係る窓枠１は、内側窓枠部材２の屋外側端面２ｂと外側窓枠部材３の屋内側端面３ａとの嵌め合わせ構造が上述の実施形態と異なる。
ここでは、縦枠１Ａが、内側窓枠部材２の屋外側端面２ｂにおける裏側（飼木７０側）の角部に切欠いて形成された切欠段部１４を有し、外側窓枠部材３屋内側端面３ａにおける裏側の角部は切欠段部１４に嵌め合わされるように形成された突条片部１５を有している例について説明する。
なお、図示していないが、切欠段部１４が外側窓枠部材３の屋内側端面３ａにおける裏側の角部に形成され、突条片部１５が内側窓枠部材２の屋外側端面２ｂにおける裏側の角部に形成されたものとしてもよい。
【００２７】
内側窓枠部材２及び外側窓枠部材３は略方形状に形成されており、図例のものは縦枠１Ａとして用いられるため、設置状態が縦長の略長方形状の板体とされている。
内側窓枠部材２の屋外側端面２ｂの角部には、断面視して段差状に切りかかれた切欠段部１４が長手方向に沿って形成されている。
外側窓枠部材３の屋内側端面３ａの角部には、内側窓枠部材２側に突出した突条片部１５が長手方向に沿って形成されており、この突条片部１５は、切欠段部１４と嵌め合わされるようにいわゆるあいじゃくり状に形成されている。
突条片部１５の突出寸法は、切欠段部１４の切欠き寸法と略同一に形成され、壁１０の厚みに応じて内外方向に調整自在とされている。
【００２８】
窓枠１の寸法調整の要領は上述の実施形態と同じように行うことができる。
切欠段部１４と突条片部１５の嵌め合い度合いは、外側窓枠部材３の屋外側端面３ｂが固着されるサッシ枠材４０の保持部４０ａの屋内側端面から内壁３０の表面３０ａまでの奥行き寸法ｄ３を計測して、その奥行き寸法ｄ３にあわせて調整される。
具体的には、奥行き寸法ｄ３に応じて切欠段部１４と突条片部１５の両者を嵌め合わせた状態で内側窓枠部材２或いは外側窓枠部材３のいずれかを内外方向に移動させる。そして、内側窓枠部材２の屋内側端面２ａから外側窓枠部材３の屋外側端面３ｂまでの長さが奥行き寸法ｄ３と一致するように切欠段部１４と突条片部１５との嵌め合い状態を調整すればよい。
【００２９】
すると、内側窓枠部材２の屋外側端面２ｂと外側窓枠部材３の屋内側端面３ａとの間で且つ切欠段部１４と突条片部１５が嵌め合わされていない箇所に隙間ｄ３０が形成される。図４（ｂ）に示すように隙間ｄ３０が形成されても、縦枠１Ａを側面からみたときには、切欠段部１４に突条片部１５が嵌め合われているので、窓枠１として開口部２０に組み付けた際に、飼木６０が露見することはなく見栄えよく取り付けることができる。
他方の縦枠１Ａ、上枠、下枠も同じ要領で奥行き寸法ｄ３に応じてそれぞれの枠の奥行き寸法を調整し、四方枠を形成すると、これが窓枠１となる点は上述の実施形態と同様である。
なお、ここでは図示していないが、例えば内壁３０の板厚が図４に示す例よりも薄い場合は、切欠段部１４と突条片部１５の突き合わせ状態を図４に示す例より近づける方向（内方向）に移動させ調整すればよい。一方、内壁３０の板厚が図４に示す例よりも厚い場合は、切欠段部１４と突条片部１５の突き合わせ状態を図４に示す例よりも遠ざける方向（外方向）に移動させ調整すればよい。
【００３０】
以上によれば、窓枠１を内壁３０と内側窓枠部材２の屋内側端面２ａとの間に段差がほとんどない状態にすっきりと窓枠１を納めることができる。またさらに額縁部材を設けることなく、窓枠１を開口部２０に隙間なく納めることができるので、窓枠１の取付施工を簡略化することができる。
そして窓枠１を構成する縦枠１Ａが内側窓枠部材２と外側窓枠部材３とに分割されているので、従来壁厚調整のために用いられた額縁材を使用しなくても、様々な厚みの壁１０の見込み寸法Ｄ３、取付位置の奥行き寸法ｄ３０に対応して縦枠１Ａの寸法を調整することができる。
また外側窓枠部材３がサッシ４を構成するサッシ枠材４０にあわせた色調とされているので、縦枠１Ａで色調が変わる境が隙間ｄ３０のみとすることができる。
従って、このように縦枠１Ａを分割するものであっても従来の縦枠と同様の外観を備えたものとすることができる。
さらに様々な壁１０の見込み寸法に合わせて内側窓枠部材２及び外側窓枠部材３を予め形成し用意しておく必要がなく共通サイズの部材で様々な壁１０の厚みに対応することができる。
【００３１】
そして外側窓枠部材３の奥行き寸法を一定の大きさにした場合、図に示すように切欠段部１４及び突条片部１５が形成されていることが望ましい。
この場合は、切欠段部１４が外側窓枠部材３の屋内側端面３ａにおける裏面側の角部に形成され、突条片部１５が内側窓枠部材２の屋外側端面２ｂにおける裏面側の角部に形成されたものと比べて合成化粧シート９が突条片部１５との嵌め合わせ部分にまでいたる。
従って、内装化粧面とされた箇所を若干ではあるが広げることができ、窓枠１周辺の意匠性を高めることができる。
【００３２】
なお、窓枠１の外形、構成などは上述に限定されず、例えば窓枠１の外形は正面視して略正方形状としてもよいし、掃きだし窓に用いられる３方枠としてもよい。
また上述では、内側窓枠部材２の屋内側端面２ａから外側窓枠部材３の屋外側端面３ｂまでの長さが、サッシ枠材４０の保持部４０ａの屋内側端面から内壁３０の表面３０ａまでの奥行き寸法と一致するように内側窓枠部材２と外側窓枠部材３とを嵌め合わせる例を説明した。
これによれば、内側窓枠部材２の屋内側端面２ａが内壁３０と略同一面にすることができるが、これに限定されず、内側窓枠部材２の屋内側端面２ａから外側窓枠部材３の屋外側端面３ｂまでの長さを上述の奥行き寸法より大となるように設定してもよい。
さらに上述では窓枠１の上下枠も分割して寸法を調整する例を説明したが、上下枠は一枚板からなるものとしてもよい。
そして、図例の窓枠１は、縦枠１Ａが上下枠（横枠）を挟み込む縦勝ちの例を示しているが、これに限定されず、上下枠が縦枠１Ａを挟み込み横勝ちのものにも適用することができる。また外側窓枠部材３にアングル加工を施したものとしてもよい。
【符号の説明】
【００３３】
１      窓枠
２      内側窓枠部材
３      外側窓枠部材
２ａ，３ａ      屋内側端面
２ｂ，３ｂ      屋外側端面
４      サッシ
５      凹溝部
６      凸条部
９，１３      合成樹脂シート
１０      壁
１４      切欠段部
１５      突条片部
２０      開口部
【図１】
0005604206.tif 000002
【図２】
0005604206.tif 000003
【図３】
0005604206.tif 000004
【図４】
0005604206.tif 000005